(57)【特許請求の範囲】
【請求項１】
マツ科の植物の樹液である松脂（まつやに）から得られるロジン酸を主成分とする天然樹脂を水で希釈して、田植えを行った後の水田に流し込み、水田に白色〜黄色の粉が現れるまで放置することにより雑草対策を行う農法。
【請求項２】
前記天然樹脂の替わりに、常温で液状の不均化したロジン組成物をアルカリで中和した塩を用いて雑草対策を行う請求項１に記載の農法。
【請求項３】
前記天然樹脂の替わりに、常温で液状の不均化したロジン組成物と脂肪酸との混合物のアルカリ石鹸水溶液を用いて雑草対策を行う請求項１に記載の農法。
【請求項４】
上記の塩が、不均化ロジンカリウム塩であることを特徴とする請求項２に記載の農法。
【請求項５】
上記の塩の濃度が、１０〜４０重量％であることを特徴とする請求項２，４に記載の農法。
【請求項６】
上記のロジン組成物が、デヒドロアビエチン酸１０〜２３重量％，セコデヒドロアビエチン酸５〜３０重量％および直鎖オクタデセン酸２０〜４５重量％を少なくとも含む、ことを特徴とする請求項２又は３に記載の農法。
【発明の詳細な説明】
【技術分野】
【０００１】
本発明は、農地における農薬を使用しない雑草対策方法に関するものである。
【背景技術】
【０００２】
従来から、農地においては雑草対策として農薬を使用することがある。
しかし、昨今、人体に害を及ぼす農薬の散布には問題があり、食の安全性の観点から、無農薬による付加価値のついた農作物を好む傾向にある。
【０００３】
従来から、農地における雑草対策として、抗生物質不使用豚の放牧を用いた農法が知られている（特許文献１）。特許文献１に開示された方法では、放牧飼育する豚の飼料には抗生物質等の薬物を一切使用せず、豚が地表の雑草だけではなく根までかじることにより、雑草が再び生えてくるということがなくなるため、従来雑草対策として使用していた農薬を使用しなくて済むというものである。
また、稲を植え付けた水田に、海水から抽出したミネラル肥料を用い、該ミネラル成分の多量要素と微量要素の双方の微妙なバランスで稲の生育に良好な影響を与えて、栄養のバランスを崩すことなく生育させ、病害虫などへの抵抗力を高め、農薬の散布を無くす稲の生育方法が知られている（特許文献２）。
【０００４】
また、通常の水道水や天然水で、ｐＨ５〜７前後のものに、人体に無害なカルシウムなどのミネラルや各種塩基類など調整して得られたｐＨ２〜４までの合成強酸性水などのｐＨ３前後の天然水に、樹木の檜科などから抽出したトロポロン類のヒノキチオール、またはベータ・ドラブリンなどの天然油および結晶体、もしくは人工合成油、結晶を混合させた害虫駆除剤を使用する農薬類を使用しない害虫駆除方法が知られている（特許文献３）。
【先行技術文献】
【特許文献】
【０００５】
【特許文献１】特開２０１０−１５４８２６号公報
【特許文献２】特開２００３−０３８０４７号公報
【特許文献３】特開平０７−０６９８２５号公報
【発明の概要】
【発明が解決しようとする課題】
【０００６】
上述した特許文献１に開示された方法では、抗生物質不使用豚の放牧が必要であるが、広大な農地においては、多くの抗生物質不使用豚の放牧が必要になる。また、農地を万遍なく、豚に地表の雑草・根をかじらせるのは難しいといった問題がある。
また、特許文献２，３に開示された方法では、害虫対策になるものの、雑草を効果的に排除することは難しいといった問題がある。
かかる状況に鑑みて、本発明は、農地における農薬を使用しない雑草対策方法とその方法を用いた農法を提供することを目的とする。
【課題を解決するための手段】
【０００７】
本発明者は、農業に従事するものであり、農作物の田植えの前に、農地を炎で焼く前処理を行う方法や、農地の水田に人体に害を与えない薬品を投与するなど数々の検討を鋭意行った結果、マツ科の植物の樹液である松脂（まつやに）から得られるロジン酸を主成分とする天然樹脂（以下、本明細書では「ロジン」と称する。）を水で希釈して、田植えを行った後の水田に流し込み、水田に白色〜黄色の粉が現れるまで放置することにより、農薬を使用しないで雑草対策を図ることができることを知見した。
【０００８】
すなわち、本発明の農法は、マツ科の植物の樹液である松脂（まつやに）から得られるロジン酸を主成分とする天然樹脂（ロジン）を水で希釈して、田植えを行った後の水田に流し込み、水田に白色〜黄色の粉が現れるまで放置させることにより雑草対策を行うことを特徴とする。
ここで、ロジンは、松脂（まつやに）を直接立木から集め、蒸留分離して得るもの（ガムロジン）、伐採した松の木の根から抽出して集めて得るもの（ウッドロジン）、製紙工場でクラフトパルプを作るときに副生する粗トール油を蒸留して作るもの（トールロジン）などが利用できる。
また、本発明の農法において、好適に、上記天然樹脂の替わりに、常温で液状の不均化したロジン組成物をアルカリで中和した塩を用いることができる。
また、本発明の農法において、好適に、上記天然樹脂の替わりに、常温で液状の不均化したロジン組成物と脂肪酸との混合物のアルカリ石鹸水溶液を用いることができる。
【０００９】
ここで常温とは、１５〜３０℃程度の温度を意味するが、この温度範囲に限定されるものではなく、１０〜４５℃程度の温度帯でも構わない。
ロジンとは、アビエチン酸、パラストリン酸、レボピマール酸、ネオアビエチン酸などの分子中に共役二重結合を有する樹脂酸を含有しており、高い反応性を有するものである。そして、共役二重結合を有する樹脂酸を含有するロジンのアルカリ塩を、乳化重合剤として使用すると重合を阻害してしまう。そのため、ロジンを乳化重合剤として使用する場合、ロジンを不均化して、共役二重結合を有しない誘導体に変換する。
【００１０】
ここで、本発明の農法において、ロジン組成物をアルカリで中和した上記の塩は、具体的には、不均化ロジンカリウム塩である。不均化ロジンカリウム塩は、通常の条件では安定性に優れている。
【００１１】
また、本発明の農法において、上記の塩の濃度が、１０〜４０重量％であることが好ましい。
塩の濃度は、概ね２５重量％が好ましい。塩の濃度が１０重量％濃度より低濃度であれば雑草抑制効果が低く、また４０重量％濃度より高濃度であれば、本来の苗の育成に影響を与えるリスクがある。
【００１２】
また、本発明の農法において、上記のロジン組成物が、デヒドロアビエチン酸１０〜２３重量％，セコデヒドロアビエチン酸５〜３０重量％および直鎖オクタデセン酸２０〜４５重量％を少なくとも含む、ことが好ましい。
デヒドロアビエチン酸およびセコデヒドロアビエチン酸は、乳化重合性に優れた化合物であり、また、直鎖オクタデセン酸が、その融点が低く常温での液体性状保持に優れている。
【００１３】
ここで、各々の濃度を所定の範囲にするのは、以下の理由による。まず、デヒドロアビエチン酸の場合、不均化ロジン中に含まれる濃度が大きくなると結晶析出が生じやすくなるという問題があり、所定濃度の範囲内に調整する必要がある。セコデヒドロアビエチン酸は、デヒドロアビエチン酸と同等の乳化重合性のある低結晶性の樹脂酸であり、３０重量％と高濃度まで含めることができる。液体性状および高い乳化重合性を保持するうえで、総量を調整する必要があり、直鎖オクタデセン酸を２０〜４５重量％の範囲にしている。
【発明の効果】
【００１４】
本発明の農法によれば、人体に害を及ぼす農薬の散布が不要にでき、無農薬の安心安全な農産物を作ることが可能になるといった効果がある。
【図面の簡単な説明】
【００１５】
【図１】本発明の農法における雑草対策処理フロー図
【図２】本発明の農法における雑草対策のイメージ図
【発明を実施するための最良の形態】
【００１６】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１７】
図１は、本発明の農法における雑草対策処理フローを示している。
図１に示されるように、マツ科の植物の樹液である松脂（まつやに）を蒸留して得られるロジン酸を主成分とする天然樹脂を水で希釈する（ステップＳ１）。
ここで、ロジン酸は、単一のものではなく、一般的な主成分はアビエチン酸とよばれるもので、その他にパラストリン酸、イソピマール酸など約２０個の種類の成分から構成されている。
上述したように、ロジンは、松脂（まつやに）を直接立木から集め、蒸留分離して得るもの（ガムロジン）、伐採した松の木の根から抽出して集めて得るもの（ウッドロジン）、製紙工場でクラフトパルプを作るときに副生する粗トール油を蒸留して作るもの（トールロジン）などが利用できるが、松脂（まつやに）を直接立木から集め、蒸留分離して得るものを利用した。
【００１８】
ロジンを水で希釈したもの（ロジン：２５重量％，水：７５重量％）を、田植えを行った後の水田に流し込んだ（ステップＳ２）。図２は、田植えを行った後の水田に流し込むイメージを示している。図２において、１はロジンを水で希釈した液を入れた缶、２は水田に流し込んでいる液、３は田植えした苗、４は水田である。
【００１９】
田植えを行った後の水田に、水で希釈したロジンを流し込んだ状態のまま、水田に白色〜黄色の粉が現れるまで１０〜１５日程度放置する（ステップＳ３）。これ以外は、通常の農法と同じである。水田の農地に一様にロジンがいきわたることで、農地から雑草が生えるのをかなり抑制できることになる。
なお、放置する日数は、天候や気温、湿度によって異なるが、概ね３０日以内である。
【実施例２】
【００２０】
実施例１では、松脂（まつやに）を直接立木から集め、蒸留分離して得るものを利用した。
実施例２では、常温で液状の不均化したロジン組成物をアルカリで中和した塩、具体的には、不均化ロジンカリウム塩を用いて、図１のフローと同様に実施し、雑草対策を行った。
不均化したロジンの作製方法については、パラジウム−活性炭触媒、ヨウ素系触媒を用いる方法が知られており（米国特許第２１７７５３０号，特公昭４９−５３６０号公報，特開昭５１−３４８９６号公報）、それらを利用できる。
また、不均化ロジンカリウム塩の作製方法については、特許４４４１０４９号の実施例（明細書段落００３０〜００４７、特に実施例７〜１２を参照）に詳細に記載されている。
【産業上の利用可能性】
【００２１】
本発明は、無農薬農法に有用である。
【符号の説明】
【００２２】
１  ロジンを水で希釈した液を入れた缶
２  水田に流し込んでいる液
３  田植えした苗
４  水田
【図１】
0006032557.tif 000002
【図２】
0006032557.tif 000003